(57)【要約】      （修正有）【課題】表示品位の劣化を抑制する表示装置を提供する。【解決手段】第１方向Ｘに沿って延出した複数の走査線Ｇと、第１方向Ｘと交差する第２方向Ｙに沿って延出した複数の信号線Ｓと、第１共通電極ＣＥ１と、第１共通電極ＣＥ１と対向する画素電極ＰＥと、第１共通電極ＣＥ１と電気的に接続された第１金属配線Ｍ１と、を備え、第１金属配線Ｍ１は、平面視で、第１共通電極ＣＥ１に重畳し、画素電極ＰＥを囲む格子状に形成されている、表示装置。【選択図】図２Ｃ
2019211726.tif 000002
【特許請求の範囲】
【請求項１】
第１方向に沿って延出した複数の走査線と、
前記第１方向と交差する第２方向に沿って延出した複数の信号線と、
第１共通電極と、
前記第１共通電極と対向する画素電極と、
前記第１共通電極と電気的に接続された第１金属配線と、を備え、
前記第１金属配線は、平面視で、前記第１共通電極に重畳し、前記画素電極を囲む格子状に形成されている、表示装置。
【請求項２】
前記第１金属配線は、前記走査線に沿って延出した第１配線部と、前記信号線に沿って延出した第２配線部と、を備え、
前記第１配線部及び前記第２配線部は、互いに繋がっている、請求項１に記載の表示装置。
【請求項３】
前記第１配線部は、前記第２方向に隣接する前記走査線にそれぞれ重畳し、
前記第２配線部は、前記第１方向に隣接する前記信号線にそれぞれ重畳している、請求項２に記載の表示装置。
【請求項４】
第１縁部と、前記第１縁部とは反対側の第２縁部と、を有する表示部を備え、
前記第１縁部及び前記第２縁部は、前記第２方向に沿って延出し、
前記第１共通電極は、前記第１縁部と前記第２縁部との間において前記第１方向に沿って延出し、
前記第１配線部は、前記第１縁部と前記第２縁部との間の前記走査線の全体に重畳している、請求項３に記載の表示装置。
【請求項５】
第３縁部と、前記第３縁部とは反対側の第４縁部と、を有する表示部を備え、
前記第３縁部及び前記第４縁部は、前記第１方向に沿って延出し、
前記第１共通電極は、前記第３縁部と前記第４縁部との間において前記第２方向に沿って延出し、
前記第２配線部は、前記第３縁部と前記第４縁部との間の前記信号線の全体に重畳している、請求項３に記載の表示装置。
【請求項６】
さらに、前記表示部に位置する第２共通電極と、
前記第２共通電極と対向する第２画素電極と、
前記第２共通電極と電気的に接続された第２金属配線と、を備え、
前記第１共通電極及び前記第２共通電極は、間隔をおいて並び、
前記第２金属配線は、平面視で、前記第２共通電極に重畳し、前記第２画素電極を囲む格子状に形成され、
前記第２金属配線は、前記第１金属配線から電気的に絶縁されている、請求項４または５に記載の表示装置。
【請求項７】
さらに、表示部に位置する第２共通電極及び第３共通電極と、
前記第２共通電極と電気的に接続された第２金属配線と、
前記第３共通電極と電気的に接続された第３金属配線と、を備え、
前記第１共通電極及び前記第２共通電極は、前記第１方向に間隔をおいて並び、
前記第１共通電極及び前記第３共通電極は、前記第２方向に間隔をおいて並び、
前記第２金属配線は、前記第１金属配線から電気的に絶縁され、
前記第３金属配線は、前記第１金属配線及び前記第２金属配線から電気的に絶縁されている、請求項２に記載の表示装置。
【請求項８】
さらに、第１絶縁膜と、第２絶縁膜と、第３絶縁膜と、第４絶縁膜と、を備え、
前記走査線は、前記第１絶縁膜と前記第２絶縁膜との間に位置し、
前記信号線は、前記第２絶縁膜と前記第３絶縁膜との間に位置し、
前記第１共通電極及び前記第１金属配線は、前記第３絶縁膜と前記第４絶縁膜との間に位置し、
前記第１共通電極は、前記第１金属配線に接している、請求項１に記載の表示装置。
【請求項９】
さらに、第１絶縁膜と、第２絶縁膜と、第３絶縁膜と、第４絶縁膜と、第５絶縁膜と、を備え、
前記走査線は、前記第１絶縁膜と前記第２絶縁膜との間に位置し、
前記信号線は、前記第２絶縁膜と前記第３絶縁膜との間に位置し、
前記第１金属配線は、前記第３絶縁膜と前記第４絶縁膜との間に位置し、
前記第１共通電極は、前記第４絶縁膜と前記第５絶縁膜との間に位置し、
前記第１共通電極は、前記第４絶縁膜を貫通した貫通孔において前記第１金属配線と電気的に接続されている、請求項１に記載の表示装置。
【発明の詳細な説明】
【技術分野】
【０００１】
本発明の実施形態は、表示装置に関する。
【背景技術】
【０００２】
近年、タッチ検出機能を備えた表示装置が種々提案されている。一例では、センサ駆動電極として機能する共通電極に接続された金属層を備え、金属層が信号線と重畳する表示装置が開示されている。金属層は、スペーサが接触する位置では途切れていたり、スペーサが接触する位置を迂回する部分を有していたりするものが知られている。
【先行技術文献】
【特許文献】
【０００３】
【特許文献１】特開２０１７−２６８１６号公報
【特許文献２】特開２０１７−１２２７７０号公報
【特許文献３】特開２０１７−２０７６１４号公報
【発明の概要】
【発明が解決しようとする課題】
【０００４】
本実施形態の目的は、表示品位の劣化を抑制する表示装置を提供することにある。
【課題を解決するための手段】
【０００５】
本実施形態によれば、
第１方向に沿って延出した複数の走査線と、前記第１方向と交差する第２方向に沿って延出した複数の信号線と、第１共通電極と、前記第１共通電極と対向する画素電極と、前記第１共通電極と電気的に接続された第１金属配線と、を備え、前記第１金属配線は、平面視で、前記第１共通電極に重畳し、前記画素電極を囲む格子状に形成されている、表示装置が提供される。
【図面の簡単な説明】
【０００６】
【図１】図１は、本実施形態の表示装置ＤＳＰの一構成例を示す平面図である。
【図２Ａ】図２Ａは、図１に示した第１基板ＳＵＢ１の一構成例を示す平面図であり、走査線Ｇ及び信号線Ｓのレイアウトの一例を示す図である。
【図２Ｂ】図２Ｂは、図１に示した第１基板ＳＵＢ１の一構成例を示す平面図であり、金属配線Ｍ及び共通電極ＣＥのレイアウトの一例を示す図である。
【図２Ｃ】図２Ｃは、図１に示した第１基板ＳＵＢ１の一構成例を示す平面図である。
【図３】図３は、図２Ｃに示した画素ＰＸの一構成例を示す平面図である。
【図４】図４は、図３に示したＡ−Ｂ線に沿った表示パネルＰＮＬの断面図である。
【図５】図５は、図２Ｃに示した画素ＰＸの他の構成例を示す平面図である。
【図６】図６は、図２Ｃに示した画素ＰＸの他の構成例を示す平面図である。
【図７】図７は、本実施形態の表示装置ＤＳＰの他の構成例を示す平面図である。
【図８Ａ】図８Ａは、図７に示した第１基板ＳＵＢ１の一構成例を示す平面図であり、走査線Ｇ及び信号線Ｓのレイアウトの一例を示す図である。
【図８Ｂ】図８Ｂは、図７に示した第１基板ＳＵＢ１の一構成例を示す平面図であり、金属配線Ｍ及び共通電極ＣＥのレイアウトの一例を示す図である。
【図８Ｃ】図８Ｃは、図７に示した第１基板ＳＵＢ１の一構成例を示す平面図である。
【図９】図９は、本実施形態の表示装置ＤＳＰの他の構成例を示す平面図である。
【図１０Ａ】図１０Ａは、図９に示した第１基板ＳＵＢ１の一構成例を示す平面図であり、走査線Ｇ及び信号線Ｓのレイアウトの一例を示す図である。
【図１０Ｂ】図１０Ｂは、図９に示した第１基板ＳＵＢ１の一構成例を示す平面図であり、金属配線Ｍ及び共通電極ＣＥのレイアウトの一例を示す図である。
【図１０Ｃ】図１０Ｃは、図９に示した第１基板ＳＵＢ１の一構成例を示す平面図である。
【図１１】図１１は、図１０Ｃに示した４つの共通電極ＣＥ１１、ＣＥ１２、ＣＥ２１、ＣＥ２２が並んだ領域の一構成例を示す平面図である。
【図１２】図１２は、図１１に示した接続部Ｐ１１及びＰ２１を含むＣ−Ｄ線に沿った表示パネルＰＮＬの断面図である。
【図１３】図１３は、図１１に示したスペーサＳＰを含むＥ−Ｆ線に沿った表示パネルＰＮＬの断面図である。
【発明を実施するための形態】
【０００７】
以下、本実施形態について、図面を参照しながら説明する。なお、開示はあくまで一例に過ぎず、当業者において、発明の主旨を保っての適宜変更について容易に想到し得るものについては、当然に本発明の範囲に含有されるものである。また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【０００８】
図１は、本実施形態の表示装置ＤＳＰの一構成例を示す平面図である。一例では、第１方向Ｘ、第２方向Ｙ、及び、第３方向Ｚは、互いに直交しているが、９０度以外の角度で交差していてもよい。第１方向Ｘ及び第２方向Ｙは、表示装置ＤＳＰを構成する基板の主面と平行な方向に相当し、第３方向Ｚは、表示装置ＤＳＰの厚さ方向に相当する。本明細書において、第３方向Ｚを示す矢印の先端側の位置を上と称し、矢印の先端とは逆側の位置を下と称する。「第１部材の上の第２部材」及び「第１部材の下の第２部材」とした場合、第２部材は、第１部材に接していてもよいし、第１部材から離間していてもよい。また、第３方向Ｚを示す矢印の先端側に表示装置ＤＳＰを観察する観察位置があるものとし、この観察位置から、第１方向Ｘ及び第２方向Ｙで規定されるＸ−Ｙ平面に向かって見ることを平面視という。
【０００９】
表示装置ＤＳＰは、表示パネルＰＮＬと、ＩＣチップ１及び２と、フレキシブルプリント回路基板３及び４と、プリント回路基板５と、を備えている。表示パネルＰＮＬは、第１基板ＳＵＢ１と、第２基板ＳＵＢ２と、を備えている。第１基板ＳＵＢ１及び第２基板ＳＵＢ２は、平面視で重畳している。表示パネルＰＮＬは、画像を表示する表示部ＤＡと、表示部ＤＡを囲む額縁状の非表示部ＮＤＡとを備えている。表示部ＤＡは、第１基板ＳＵＢ１と第２基板ＳＵＢ２とが重畳している領域に設けられている。表示部ＤＡは、第２方向Ｙに沿って延出した一対の縁部Ｅ１及びＥ２と、第１方向Ｘに沿って延出した一対の縁部Ｅ３及びＥ４と、を有している。表示部ＤＡの各コーナー部、及び、表示パネルＰＮＬの各コーナー部は、図示したようにほぼ直角に形成されてもよいし、ラウンド状に形成されてもよい。
【００１０】
第１基板ＳＵＢ１は、複数の共通電極ＣＥと、共通電極駆動回路ＣＤと、を備えている。共通電極ＣＥの各々は、表示部ＤＡにおいて第１方向Ｘに沿って延出し、第２方向Ｙに間隔をおいて並んでいる。共通電極ＣＥの各々は、非表示部ＮＤＡにおいて共通電極駆動回路ＣＤと電気的に接続されている。図示した例では、共通電極駆動回路ＣＤは、表示部ＤＡを挟んだ両側に設けられている。共通電極ＣＥは、必ずしも両側の共通電極駆動回路ＣＤに接続されていなくてもよい。例えば、第２方向Ｙに並んだ共通電極ＣＥのうち、基数番目の共通電極ＣＥが図中の左側の共通電極駆動回路ＣＤに接続され、偶数番目の共通電極ＣＥが図中の右側の共通電極駆動回路ＣＤに接続されていてもよい。
【００１１】
第２基板ＳＵＢ２は、複数の検出電極ＲＸを備えている。検出電極ＲＸの各々は、表示部ＤＡにおいて第２方向Ｙに沿って延出し、第１方向Ｘに間隔をおいて並んでいる。平面視において、検出電極ＲＸは、共通電極ＣＥと交差している。これらの共通電極ＣＥ及び検出電極ＲＸは、相互容量方式のタッチセンサを構成することができる。また、複数の共通電極ＣＥ、または、複数の検出電極ＲＸは、自己容量方式のタッチセンサを構成することができる。
【００１２】
ＩＣチップ１は、第１基板ＳＵＢ１に実装されている。ＩＣチップ２は、プリント回路基板５に実装されている。フレキシブルプリント回路基板３は、第１基板ＳＵＢ１及びプリント回路基板５にそれぞれ電気に接続されている。フレキシブルプリント回路基板４は、第２基板ＳＵＢ２及びプリント回路基板５にそれぞれ電気に接続されている。なお、ＩＣチップ１は、フレキシブルプリント回路基板３、または、プリント回路基板５に実装されてもよい。ＩＣチップ２は、フレキシブルプリント回路基板４に実装されてもよい。また、ＩＣチップ１及び２は、単一のＩＣチップに置換されてもよく、プリント回路基板５に実装されてもよい。
【００１３】
ＩＣチップ１は、ディスプレイドライバＤＤを内蔵している。ディスプレイドライバＤＤは、画像を表示する画像表示モードにおいて映像信号等の画像表示に必要な信号を表示パネルＰＮＬに出力する。ＩＣチップ２は、タッチコントローラＴＣを内蔵している。タッチコントローラＴＣは、表示装置ＤＳＰへの物体の接近又は接触を検出するタッチセンシングモードにおいて、共通電極ＣＥを駆動し、検出電極ＲＸからセンサ信号を読み取る。
【００１４】
例えば、画像表示モードにおいては、ディスプレイドライバＤＤは、共通電極駆動回路ＣＤを制御して、共通電極ＣＥには、コモン電圧（Ｖｃｏｍ）が印加される。  
タッチセンシングモードにおいては、タッチコントローラＴＣは、共通電極駆動回路ＣＤを制御して、共通電極ＣＥには、センサ駆動電圧が印加される。なお、センサ駆動電圧は、コモン電圧とは異なる電圧である。タッチコントローラＴＣは、検出電極ＲＸでのセンシング結果に対応したセンサ信号を読み取る。タッチコントローラＴＣあるいは外部のホストは、センサ信号に基づいて、表示装置ＤＳＰへの物体の接近又は接触の有無及び物体の位置座標を検出する。
【００１５】
図２Ａ乃至図２Ｃは、図１に示した第１基板ＳＵＢ１の一構成例を示す平面図である。なお、ここでは、説明に必要な主要部のみを図示している。図２Ａは、第１基板ＳＵＢ１における走査線Ｇ及び信号線Ｓのレイアウトの一例を示す図である。図２Ｂは、第１基板ＳＵＢ１における金属配線Ｍ及び共通電極ＣＥのレイアウトの一例を示す図である。図２Ｃは、図２Ａに示した走査線Ｇ及び信号線Ｓと、図２Ｂに示した金属配線Ｍ及び共通電極ＣＥとを重ね合せたレイアウトの一例を示す図である。
【００１６】
図２Ａに示すように、第１基板ＳＵＢ１は、走査線Ｇと、信号線Ｓと、を備えている。複数の走査線Ｇ（Ｇ１、Ｇ２、…）は、表示部ＤＡにおいて、それぞれ第１方向Ｘに沿って延出し、第２方向Ｙに並んでいる。走査線Ｇの各々は、非表示部ＮＤＡにおいて走査線駆動回路ＧＤと電気的に接続されている。複数の信号線Ｓは、表示部ＤＡにおいて、それぞれ第２方向Ｙに沿って延出し、第１方向Ｘに並んでいる。信号線Ｓの各々は、非表示部ＮＤＡにおいてディスプレイドライバＤＤと電気的に接続されている。ディスプレイドライバＤＤは、画像表示モードにおいて、走査線駆動回路ＧＤを制御する。
【００１７】
図２Ｂに示すように、第１基板ＳＵＢ１は、共通電極ＣＥと、画素電極ＰＥと、金属配線Ｍと、を備えている。平面視において、画素電極ＰＥは、共通電極ＣＥに重畳している。図示した例では、１つの画素電極ＰＥのみを図示しているが、１つの共通電極ＣＥの上には、第１方向Ｘ及び第２方向Ｙにそれぞれ並んだ複数の画素電極ＰＥが重畳している。金属配線Ｍは、共通電極ＣＥに重畳している。共通電極ＣＥは、重畳している金属配線Ｍと電気的に接続されている。金属配線Ｍは、表示部ＤＡにおいて格子状（あるいはメッシュ状）に形成されている。つまり、金属配線Ｍは、第１方向Ｘに沿って延出した配線部ＭＸと、第２方向Ｙに沿って延出した配線部ＭＹと、を備えている。図示した例では、配線部ＭＸは、非表示部ＮＤＡにおいて共通電極駆動回路ＣＤに電気的に接続されている。
【００１８】
図２Ｃに示すように、平面視において、共通電極ＣＥは、走査線Ｇ及び信号線Ｓに重畳している。画素電極ＰＥは、第１方向Ｘに隣接する２本の信号線Ｓと、第２方向Ｙに隣接する２本の走査線Ｇとで囲まれている。共通電極ＣＥは、重畳している金属配線Ｍと電気的に接続されている。配線部ＭＸは走査線Ｇに沿って延出し、配線部ＭＹは信号線Ｓに沿って延出し、配線部ＭＸ及び配線部ＭＹは互いに繋がっている。
【００１９】
図示した例では、配線部ＭＸは、縁部Ｅ１及びＥ２の間の走査線Ｇの全体に重畳している。配線部ＭＹは、表示部ＤＡに位置する信号線Ｓと部分的に重畳し、信号線Ｓ上の一部で途切れている。より具体的には、配線部ＭＹは、信号線Ｓのうち、共通電極ＣＥと重畳する部分では信号線Ｓと重畳し、第２方向Ｙに隣接する共通電極ＣＥの間では信号線Ｓ上で途切れている。なお、配線部ＭＸは、走査線Ｇに重畳していなくてもよい。同様に、配線部ＭＹは、信号線Ｓに重畳していなくてもよい。
【００２０】
図中に拡大して示すように、金属配線Ｍは、画素電極ＰＥを囲む格子状に形成されている。より具体的に説明すると、配線部ＭＸは、第２方向Ｙに隣接する走査線Ｇのそれぞれに重畳している。配線部ＭＹは、第１方向Ｘに隣接する信号線Ｓのそれぞれに重畳している。配線部ＭＹは、隣接する走査線Ｇの間に設けられ、配線部ＭＸに繋がっている。配線部ＭＸ及びＭＹは、同一材料を用いて一体的に形成されている。
【００２１】
ここで、複数の共通電極ＣＥのうち、第２方向Ｙに間隔をおいて並んだ２つの共通電極を共通電極ＣＥ１及びＣＥ２と称し、また、複数の金属配線Ｍのうち、共通電極ＣＥ１及びＣＥ２にそれぞれ重畳する金属配線を金属配線Ｍ１及びＭ２と称する。走査線Ｇ１乃至Ｇ３は、共通電極ＣＥ１に重畳している。走査線Ｇ４は、共通電極ＣＥ１及びＣＥ２の間に位置している。走査線Ｇ５乃至Ｇ７は、共通電極ＣＥ２に重畳している。  
金属配線Ｍ１は、共通電極ＣＥ１と電気的に接続されている。金属配線Ｍ１は、表示部ＤＡにおいて、走査線Ｇ１乃至Ｇ３の全体に亘って重畳している。また、金属配線Ｍ１は、走査線Ｇ１及びＧ２の間、及び、走査線Ｇ２及びＧ３の間において、信号線Ｓの各々と重畳している。  
金属配線Ｍ２は、共通電極ＣＥ２と電気的に接続されている。金属配線Ｍ２は、表示部ＤＡにおいて、走査線Ｇ４乃至Ｇ７の全体に亘って重畳している。また、金属配線Ｍ２は、走査線Ｇ４及びＧ５の間、走査線Ｇ５及びＧ６の間、走査線Ｇ６及びＧ７の間において、信号線Ｓの各々と重畳している。金属配線Ｍ２は、走査線Ｇ３及びＧ４の間において、金属配線Ｍ１から離間し、金属配線Ｍ１から電気的に絶縁されている。他の共通電極ＣＥと金属配線Ｍについても、同様の構造を有している。つまり、金属配線Ｍ１は、共通電極ＣＥ１と重畳する位置で格子状に形成され、金属配線Ｍ２は、共通電極ＣＥ２と重畳する位置で格子状に形成されている。
【００２２】
図２Ｃに示した構成例において、例えば、共通電極ＣＥ１は第１共通電極に相当し、共通電極ＣＥ２は第２共通電極に相当し、金属配線Ｍ１は第１金属配線に相当し、金属配線Ｍ２は第２金属配線に相当し、配線部ＭＸは第１配線部に相当し、配線部ＭＹは第２配線部に相当し、縁部Ｅ１は第１縁部に相当し、縁部Ｅ２は第２縁部に相当する。
【００２３】
図３は、図２Ｃに示した画素ＰＸの一構成例を示す平面図である。画素ＰＸは、走査線Ｇ１及びＧ２と、信号線Ｓ１及びＳ２とで囲まれている。スイッチング素子ＳＷは、走査線Ｇ２及び信号線Ｓ２と電気的に接続されている。共通電極ＣＥ１は、走査線Ｇ１及びＧ２、信号線Ｓ１及びＳ２、及び、スイッチング素子ＳＷの上に重畳している。画素ＰＸに設けられた画素電極ＰＥは、共通電極ＣＥ１の上に重畳し、スイッチング素子ＳＷと電気的に接続されている。図示した例では、画素電極ＰＥは、概ね第２方向Ｙに沿って延出した７本の帯電極ＰＡを備え、隣接する帯電極ＰＡの間にスリットＳＬを有している。金属配線Ｍ１において、配線部ＭＸ１及びＭＸ２は、それぞれ走査線Ｇ１及びＧ２の上に重畳し、配線部ＭＹ１及びＭＹ２は、それぞれ信号線Ｓ１及びＳ２の上に重畳している。
【００２４】
図４は、図３に示したＡ−Ｂ線に沿った表示パネルＰＮＬの断面図である。第１基板ＳＵＢ１は、絶縁基板１０、絶縁膜１１乃至１４、半導体層ＳＣ、走査線Ｇ２、信号線Ｓ２、共通電極ＣＥ１、金属配線Ｍ１、画素電極ＰＥ、配向膜ＡＬ１などを備えている。絶縁膜１１乃至１４は、絶縁基板１０の上において、この順に第３方向Ｚに沿って配置されている。半導体層ＳＣは、図３に示したスイッチング素子ＳＷが備える半導体層に相当し、絶縁基板１０と絶縁膜１１との間に位置している。なお、絶縁基板１０と半導体層ＳＣとの間に他の絶縁膜が介在してもよい。
【００２５】
走査線Ｇ２は、絶縁膜１１及び１２の間に位置している。信号線Ｓ２は、絶縁膜１２及び１３の間に位置している。共通電極ＣＥ１及び金属配線Ｍ１は、絶縁膜１３及び１４の間に位置している。図示した例では、共通電極ＣＥ１は絶縁膜１３の上面１３Ａに接し、金属膜Ｍ１は共通電極ＣＥ１の上面ＣＥＡに接している。なお、金属膜Ｍ１が絶縁膜１３の上面１３Ａに接し、共通電極ＣＥ１が金属膜Ｍ１を覆うとともに上面１３Ａに接していてもよい。画素電極ＰＥは、絶縁膜１４と配向膜ＡＬ１との間に位置している。画素電極ＰＥは、共通電極ＣＥ１の直上に位置している。図示した断面においては、共通電極ＣＥ１と画素電極ＰＥとの間には、金属配線Ｍ１は存在せず、絶縁膜１４のみが存在している。
【００２６】
一例では、金属配線Ｍ１は、チタン（Ｔｉ）、アルミニウム（Ａｌ）、及び、チタン（Ｔｉ）を順に積層した積層体、あるいは、モリブデン（Ｍｏ）、アルミニウム（Ａｌ）、及び、モリブデン（Ｍｏ）を順に積層した積層体であるが、他の金属材料によって形成されていてもよい。共通電極ＣＥ１及び画素電極ＰＥは、インジウム・ティン・オキサイド（ＩＴＯ）やインジウム・ジンク・オキサイド（ＩＺＯ）などの透明な導電材料によって形成された透明電極である。  
絶縁膜１１及び１２、及び、絶縁膜１４は、シリコン酸化物、シリコン窒化物、シリコン酸窒化物などの無機絶縁膜であり、単層構造であってもよいし、多層構造であってもよい。絶縁膜１３は、例えば、アクリル樹脂などの有機絶縁膜である。
【００２７】
第２基板ＳＵＢ２は、絶縁基板２０、遮光層ＢＭ、カラーフィルタ層ＣＦ、オーバーコート層ＯＣ、配向膜ＡＬ２などを備えている。絶縁基板１０及び２０は、ガラス基板や樹脂基板などの光透過性を有する基板である。遮光層ＢＭ及びカラーフィルタ層ＣＦは、絶縁基板２０の下面２０Ｂに設けられている。遮光層ＢＭは、走査線Ｇ２及び信号線Ｓ２の直上に位置している。カラーフィルタ層ＣＦは、赤色、緑色、青色のそれぞれのカラーフィルタを含んでいる。オーバーコート層ＯＣは、カラーフィルタ層ＣＦを覆っている。配向膜ＡＬ２は、オーバーコート層ＯＣを覆っている。配向膜ＡＬ１及び配向膜ＡＬ２は、例えば、水平配向性を呈する材料によって形成されている。
【００２８】
液晶層ＬＣは、第１基板ＳＵＢ１及び第２基板ＳＵＢ２の間に位置し、配向膜ＡＬ１と配向膜ＡＬ２との間に保持されている。
【００２９】
偏光板ＰＬ１を含む光学素子ＯＤ１は、絶縁基板１０の下面１０Ｂに接着されている。図１に示した検出電極ＲＸは、絶縁基板２０の上面１０Ａに形成されている。検出電極ＲＸは、保護膜ＰＦによって覆われている。偏光板ＰＬ２を含む光学素子ＯＤ２は、保護膜ＰＦの上面ＰＦＡに接着されている。
【００３０】
図４に示した構成例において、絶縁膜１１は第１絶縁膜に相当し、絶縁膜１２は第２絶縁膜に相当し、絶縁膜１３は第３絶縁膜に相当し、絶縁膜１４は第４絶縁膜に相当し、共通電極ＣＥ１は第１共通電極に相当し、金属配線Ｍ１は第１金属配線に相当する。
【００３１】
図５は、図２Ｃに示した画素ＰＸの他の構成例を示す平面図である。図５に示した構成例は、図３に示した構成例と比較して、より高精細な画素レイアウトに適用可能であり、図３に示した画素ＰＸよりも小さい画素ＰＸを想定している。図示した例では、画素電極ＰＥは、概ね第２方向Ｙに沿って延出した３本の帯電極ＰＡを備え、隣接する帯電極ＰＡの間にスリットＳＬを有している。金属配線Ｍ１において、配線部ＭＸ１及びＭＸ２は、それぞれ走査線Ｇ１及びＧ２の上に重畳し、配線部ＭＹ１及びＭＹ２は、それぞれ信号線Ｓ１及びＳ２の上に重畳している。なお、図５に示した構成例における表示パネルＰＮＬの断面構造は、図４に示した通りである。
【００３２】
本実施形態によれば、金属配線Ｍは、共通電極ＣＥと電気的に接続され、しかも格子状に形成されている。このため、金属配線Ｍが第１方向Ｘ及び第２方向Ｙのうちの一方向のみに形成された場合と比較して、共通電極ＣＥを低抵抗化することができる。また、走査線Ｇ及び信号線Ｓの各々は、共通電極ＣＥ及び金属配線Ｍの少なくとも一方によって覆われている。これにより、走査線Ｇ及び信号線Ｓからの電界漏れを抑制することができる。特に、液晶層ＬＣにおける液晶分子の配向不良を招く電界をシールドすることで、表示品位の劣化を抑制することができる。また、周辺機器に悪影響を及ぼす電磁障害（ＥＭＩ）ノイズを抑制することができ、信頼性の向上を図ることができる。
【００３３】
また、タッチセンシングモードにおいて、センサ駆動電圧が共通電極ＣＥに印加された際に、走査線Ｇと共通電極ＣＥとの寄生容量、あるいは、信号線Ｓと共通電極ＣＥとの寄生容量を低減することができ、センシング感度の低下を抑制することができる。
【００３４】
図６は、図２Ｃに示した画素ＰＸの他の構成例を示す平面図である。図６に示した構成例は、図５に示した構成例と比較して、金属配線Ｍ１の配線部ＭＸ１及びＭＸ２が走査線Ｇ１及びＧ２に重畳していない点で相違している。配線部ＭＸ１及びＭＸ２は、共通電極ＣＥ１に重畳し、それぞれ共通電極ＣＥ１に接している。また、配線部ＭＸ１及びＭＸ２は、それぞれ走査線Ｇ１及びＧ２に沿って延出している。図示した例では、配線部ＭＸ１は、平面視で、帯電極ＰＡと交差している。配線部ＭＹ１及びＭＹ２は、それぞれ信号線Ｓ１及びＳ２に重畳している。  
このような構成例においても、金属配線Ｍ１は、格子状に形成され、共通電極ＣＥ１と電気的に接続されている。このため、上記の構成例と同様に、共通電極ＣＥ１を低抵抗化することができる。また、走査線Ｇからの電界漏れに起因して配向不良が生じたとしても、図中に二点鎖線で示した遮光層ＢＭが走査線Ｇと重畳するため、表示品位の劣化を抑制することができる。
【００３５】
図７は、本実施形態の表示装置ＤＳＰの他の構成例を示す平面図である。図７に示した構成例は、図１に示した構成例と比較して、第１基板ＳＵＢ１に設けられた共通電極ＣＥの各々が表示部ＤＡにおいて第２方向Ｙに沿って延出している点で相違している。共通電極ＣＥの各々は、第２方向Ｙに間隔をおいて並び、非表示部ＮＤＡにおいて共通電極駆動回路ＣＤと電気的に接続されている。図示した例では、共通電極駆動回路ＣＤは、表示部ＤＡとＩＣチップ１との間に設けられている。第２基板ＳＵＢ２に設けられた検出電極ＲＸの各々は、表示部ＤＡにおいて第２方向Ｙに沿って延出し、第１方向Ｘに間隔をおいて並んでいる。これらの共通電極ＣＥ及び検出電極ＲＸは、図１に示した構成例と同様に、相互容量方式及び自己容量方式のタッチセンサを構成することができる。
【００３６】
図８Ａ乃至図８Ｃは、図７に示した第１基板ＳＵＢ１の一構成例を示す平面図である。図８Ａは、第１基板ＳＵＢ１における走査線Ｇ及び信号線Ｓのレイアウトの一例を示す図である。図８Ｂは、第１基板ＳＵＢ１における金属配線Ｍ及び共通電極ＣＥのレイアウトの一例を示す図である。図８Ｃは、図８Ａに示した走査線Ｇ及び信号線Ｓと、図８Ｂに示した金属配線Ｍ及び共通電極ＣＥとを重ね合せたレイアウトの一例を示す図である。  
図８Ａに示すように、複数の走査線Ｇは、表示部ＤＡにおいてそれぞれ第１方向Ｘに沿って延出し、非表示部ＮＤＡにおいて走査線駆動回路ＧＤと電気的に接続されている。複数の信号線Ｓ（Ｓ１、Ｓ２、…）は、表示部ＤＡにおいてそれぞれ第２方向Ｙに沿って延出し、非表示部ＮＤＡにおいてディスプレイドライバＤＤと電気的に接続されている。
図８Ｂに示すように、平面視において、画素電極ＰＥは、共通電極ＣＥに重畳している。金属配線Ｍは、共通電極ＣＥに重畳している。共通電極ＣＥは、重畳している金属配線Ｍと電気的に接続されている。金属配線Ｍは、図１に示した構成例と同様に、表示部ＤＡにおいて格子状（あるいはメッシュ状）に形成され、配線部ＭＸ及び配線部ＭＹを備えている。図示した例では、配線部ＭＹは、非表示部ＮＤＡにおいて共通電極駆動回路ＣＤに電気的に接続されている。
【００３７】
図８Ｃに示すように、平面視において、共通電極ＣＥは、走査線Ｇ及び信号線Ｓに重畳している。図示した例では、配線部ＭＹは、縁部Ｅ３及びＥ４の間の信号線Ｓの全体に重畳している。配線部ＭＸは、表示部ＤＡに位置する走査線Ｇと部分的に重畳し、走査線Ｇ上の一部で途切れている。より具体的には、配線部ＭＸは、走査線Ｇのうち、共通電極ＣＥと重畳する部分では走査線Ｇと重畳し、第１方向Ｘに隣接する共通電極ＣＥの間では走査線Ｇ上で途切れている。なお、配線部ＭＸは、走査線Ｇに重畳していなくてもよく、走査線Ｇに沿って延出している。同様に、配線部ＭＹは、信号線Ｓに重畳していなくてもよく、信号線Ｓに沿って延出している。
【００３８】
ここで、複数の共通電極ＣＥのうち、第１方向Ｘに間隔をおいて並んだ２つの共通電極を共通電極ＣＥ１及びＣＥ２と称し、また、複数の金属配線Ｍのうち、共通電極ＣＥ１及びＣＥ２にそれぞれ重畳する金属配線を金属配線Ｍ１及びＭ２と称する。信号線Ｓ１乃至Ｓ３は、共通電極ＣＥ１に重畳している。信号線Ｓ４は、共通電極ＣＥ１及びＣＥ２の間に位置している。信号線Ｓ５乃至Ｓ７は、共通電極ＣＥ２に重畳している。  
金属配線Ｍ１は、共通電極ＣＥ１と電気的に接続されている。金属配線Ｍ１は、表示部ＤＡにおいて、信号線Ｓ１乃至Ｓ４の全体に亘って重畳している。また、金属配線Ｍ１は、信号線Ｓ１及びＳ２の間、信号線Ｓ２及びＳ３の間、及び、信号線Ｓ３及びＳ４の間において、走査線Ｇの各々と重畳している。  
金属配線Ｍ２は、共通電極ＣＥ２と電気的に接続されている。金属配線Ｍ２は、表示部ＤＡにおいて、信号線Ｓ５乃至Ｓ８の全体に亘って重畳している。また、金属配線Ｍ２は、信号線Ｓ５及びＳ６の間、信号線Ｓ６及びＳ７の間、及び、信号線Ｓ７及びＳ８の間において、走査線Ｇの各々と重畳している。金属配線Ｍ２は、信号線Ｓ４及びＳ５の間において、金属配線Ｍ１から離間し、金属配線Ｍ１から電気的に絶縁されている。他の共通電極ＣＥと金属配線Ｍについても、同様の構造を有している。つまり、金属配線Ｍ１は、共通電極ＣＥ１と重畳する位置で格子状に形成され、金属配線Ｍ２は、共通電極ＣＥ２と重畳する位置で格子状に形成されている。
【００３９】
図８Ｃに示した構成例において、例えば、共通電極ＣＥ１は第１共通電極に相当し、共通電極ＣＥ２は第２共通電極に相当し、金属配線Ｍ１は第１金属配線に相当し、金属配線Ｍ２は第２金属配線に相当し、配線部ＭＸは第１配線部に相当し、配線部ＭＹは第２配線部に相当し、縁部Ｅ３は第３縁部に相当し、縁部Ｅ４は第４縁部に相当する。なお、表示部ＤＡにおける各画素の詳細については、図３乃至図６を参照して説明した通りであり、ここでは説明を省略する。  
このような構成例においても、図１乃至図５を参照して説明した構成例と同様の効果が得られる。
【００４０】
図９は、本実施形態の表示装置ＤＳＰの他の構成例を示す平面図である。図９に示した構成例は、図１に示した構成例と比較して、第１基板ＳＵＢ１に設けられた共通電極ＣＥの各々がマトリクス状に配置されている点で相違している。すなわち、複数の共通電極ＣＥは、表示部ＤＡにおいて、第１方向Ｘ及び第２方向Ｙにマトリクス状に配置されている。複数の金属配線Ｍは、表示部ＤＡにおいて、それぞれ第２方向Ｙに沿って延出し、第１方向Ｘに並んでいる。金属配線Ｍの各々は、非表示部ＮＤＡにおいて、ＩＣチップ１に電気的に接続されている。図示した例では、ＩＣチップ１は、ディスプレイドライバＤＤ及びタッチコントローラＴＣを内蔵している。金属配線Ｍの各々は、ＩＣチップ１の内部でタッチコントローラＴＣに電気的に接続されている。図９においては、金属配線Ｍは、簡略化して図示されている。このような構成例では、図１に示した構成例と比較して、検出電極ＲＸが不要であり、ＩＣチップ２及びフレキシブルプリント回路基板４が省略される。なお、ディスプレイドライバＤＤ及びタッチコントローラＴＣが別々のＩＣチップ２に内蔵されてもよい。
【００４１】
ここで、複数の共通電極ＣＥのうち、第２方向Ｙに間隔をおいて並んだ３つの共通電極を共通電極ＣＥ１１乃至ＣＥ１３と称し、また、複数の金属配線Ｍのうち、第１方向Ｘに間隔をおいて並んだ３つの金属配線を金属配線Ｍ１１乃至Ｍ１３と称する。金属配線Ｍ１１は、共通電極ＣＥ１１乃至ＣＥ１３と重畳し、共通電極ＣＥ１１と電気的に接続されている。金属配線Ｍ１２は、共通電極ＣＥ１２及びＣＥ１３と重畳し、共通電極ＣＥ１２と電気的に接続されている。金属配線Ｍ１３は、共通電極ＣＥ１３と重畳し、共通電極ＣＥ１３と電気的に接続されている。
【００４２】
図１０Ａ乃至図１０Ｃは、図９に示した第１基板ＳＵＢ１の一構成例を示す平面図である。図１０Ａは、第１基板ＳＵＢ１における走査線Ｇ及び信号線Ｓのレイアウトの一例を示す図である。図１０Ｂは、第１基板ＳＵＢ１における金属配線Ｍ及び共通電極ＣＥのレイアウトの一例を示す図である。図１０Ｃは、図１０Ａに示した走査線Ｇ及び信号線Ｓと、図１０Ｂに示した金属配線Ｍ及び共通電極ＣＥとを重ね合せたレイアウトの一例を示す図である。  
図１０Ａに示すように、複数の走査線Ｇ（Ｇ１、Ｇ２、…）は、表示部ＤＡにおいてそれぞれ第１方向Ｘに沿って延出し、非表示部ＮＤＡにおいて走査線駆動回路ＧＤと電気的に接続されている。複数の信号線Ｓ（Ｓ１、Ｓ２、…）は、表示部ＤＡにおいてそれぞれ第２方向Ｙに沿って延出し、非表示部ＮＤＡにおいてディスプレイドライバＤＤと電気的に接続されている。
【００４３】
図１０Ｂに示すように、共通電極ＣＥ１１と電気的に接続される金属配線Ｍ１１は、共通電極ＣＥ１１に重畳する領域において格子状に形成されている。金属配線Ｍ１１の配線部ＭＹ１は、共通電極ＣＥ１２及びＣＥ１３に重畳しているが、共通電極ＣＥ１２及びＣＥ１３とは電気的に絶縁されている。  
図１０Ｃに示すように、金属配線Ｍ１１は、走査線Ｇ１乃至Ｇ４及び信号線Ｓ１乃至Ｓ５に重畳している。金属配線Ｍ１１において、信号線Ｓ１に重畳する配線部ＭＹ１は、非表示部ＮＤＡにおいてタッチコントローラＴＣと電気的に接続されている。
【００４４】
図１０Ｂに示すように、共通電極ＣＥ１１及びＣＥ１２は、第２方向Ｙに間隔をおいて並んでいる。共通電極ＣＥ１２と電気的に接続される金属配線Ｍ１２は、共通電極ＣＥ１２に重畳する領域において格子状に形成されている。金属配線Ｍ１２の配線部ＭＹ２は、共通電極ＣＥ１３に重畳しているが、共通電極ＣＥ１３とは電気的に絶縁されている。  
図１０Ｃに示すように、金属配線Ｍ１２は、走査線Ｇ５乃至Ｇ８及び信号線Ｓ２乃至Ｓ５に重畳している。金属配線Ｍ１２において、信号線Ｓ２に重畳する配線部ＭＹ２は、非表示部ＮＤＡにおいてタッチコントローラＴＣと電気的に接続されている。金属配線Ｍ１２は、走査線Ｇ４及びＧ５の間において金属配線Ｍ１１から離間し、且つ、信号線Ｓ１及びＳ２の間において金属配線Ｍ１１から離間し、金属配線Ｍ１１から電気的に絶縁されている。
【００４５】
図１０Ｂに示すように、共通電極ＣＥ１１及びＣＥ２１は、第１方向Ｘに間隔をおいて並んでいる。共通電極ＣＥ２１と電気的に接続される金属配線Ｍ２１は、共通電極ＣＥ２１に重畳する領域において格子状に形成されている。  
図１０Ｃに示すように、金属配線Ｍ２１において、信号線Ｓ６に重畳する配線部ＭＹ６は、非表示部ＮＤＡにおいてタッチコントローラＴＣと電気的に接続されている。金属配線Ｍ２１は、信号線Ｓ５及びＳ６の間において、金属配線Ｍ１１乃至Ｍ１３から離間し、金属配線Ｍ１１乃至Ｍ１３から電気的に絶縁されている。
【００４６】
図１０Ｃに示した構成例において、例えば、共通電極ＣＥ１１は第１共通電極に相当し、共通電極ＣＥ２１は第２共通電極に相当し、共通電極ＣＥ１２は第３共通電極に相当し、金属配線Ｍ１１は第１金属配線に相当し、金属配線Ｍ２１は第２金属配線に相当し、金属配線Ｍ１２は第３金属配線に相当する。  
このような構成例においても、図１乃至図５を参照して説明した構成例と同様の効果が得られる。
【００４７】
図１１は、図１０Ｃに示した４つの共通電極ＣＥ１１、ＣＥ１２、ＣＥ２１、ＣＥ２２が並んだ領域の一構成例を示す平面図である。走査線Ｇ５は、共通電極ＣＥ１１及びＣＥ１２の間に位置し、また、共通電極ＣＥ２１及びＣＥ２２の間に位置している。信号線Ｓ５は、共通電極ＣＥ１１及びＣＥ２１の間に位置し、また、共通電極ＣＥ１２及びＣＥ２２の間に位置している。
【００４８】
金属配線Ｍ１１は、共通電極ＣＥ１１に重畳し、接続部Ｐ１１において共通電極ＣＥ１１と電気的に接続されている。同様に、金属配線Ｍ１２は接続部Ｐ１２において共通電極ＣＥ１２と電気的に接続され、金属配線Ｍ２１は接続部Ｐ２１において共通電極ＣＥ２１と電気的に接続されている。金属配線Ｍ２１は、共通電極ＣＥ２２に重畳するが、共通電極ＣＥ２２とは電気的に接続されていない。
【００４９】
走査線Ｇ３に重畳する配線部ＭＸ３及び走査線Ｇ４に重畳する配線部ＭＸ４は、信号線Ｓ５及びＳ６の間で途切れている。これにより、金属配線Ｍ１１及びＭ２１は、互いに電気的に絶縁される。  
走査線Ｇ５に重畳する配線部ＭＸ５及び走査線Ｇ６に重畳する配線部ＭＸ６は、信号線Ｓ５及びＳ６の間で途切れている。これにより、金属配線Ｍ１２及びＭ２１は、互いに電気的に絶縁される。  
信号線Ｓ４に重畳する配線部ＭＹ４及び信号線Ｓ５に重畳する配線部ＭＹ５は、走査線Ｇ４及びＧ５の間で途切れている。これにより、金属配線Ｍ１１及びＭ１２は、互いに電気的に絶縁される。
【００５０】
共通電極ＣＥ１１に重畳する画素電極ＰＥ１１は、金属配線Ｍ１１及びＭ１２によって囲まれている。共通電極ＣＥ１２に重畳する画素電極ＰＥ１２は、金属配線Ｍ１２によって囲まれている。共通電極ＣＥ２１に重畳する画素電極ＰＥ２１は、金属配線Ｍ１１及びＭ２１によって囲まれている。共通電極ＣＥ２２に重畳する画素電極ＰＥ２２は、金属配線Ｍ１２及びＭ２１によって囲まれている。
【００５１】
スペーサＳＰは、例えば走査線Ｇ４と信号線Ｓ４との交差部に位置している。スペーサＳＰは、セルギャップを形成するためのメインスペーサである。図示した例では、スペーサＳＰは、金属配線Ｍ１１の配線部ＭＸ４と配線部ＭＹ４との交差部に重畳している。なお、スペーサＳＰは、走査線と信号線の交差部に位置していなくてもよく、交差部付近に位置していればよい。
【００５２】
図１２は、図１１に示した接続部Ｐ１１及びＰ２１を含むＣ−Ｄ線に沿った表示パネルＰＮＬの断面図である。図１１に示した走査線Ｇ３乃至Ｇ６は、絶縁膜１１及び１２の間に位置している。信号線Ｓ４乃至Ｓ６は、絶縁膜１２及び１３の間に位置している。配線部ＭＹ４乃至ＭＹ６は、絶縁膜１３及び１４の間に位置している。共通電極ＣＥ１１及びＣＥ２１は、絶縁膜１４及び１５の間に位置している。画素電極ＰＥ１１及びＰＥ２１は、絶縁膜１５及び配向膜ＡＬ１の間に位置している。絶縁膜１４は、接続部Ｐ１１及びＰ２１に対応して貫通孔ＣＨ１１及びＣＨ２１を有している。共通電極ＣＥ１１は、貫通孔ＣＨ１１において金属配線Ｍ１１の配線部ＭＹ４に接続されている。共通電極ＣＥ２１は、貫通孔ＣＨ２１において金属配線Ｍ２１の配線部ＭＹ６に接続されている。  
絶縁膜１１、１２、１５は、無機絶縁膜である。絶縁膜１３及び１４は、有機絶縁膜であるが、絶縁膜１４は、無機絶縁膜であってもよい。
【００５３】
図１２に示した構成例において、絶縁膜１１は第１絶縁膜に相当し、絶縁膜１２は第２絶縁膜に相当し、絶縁膜１３は第３絶縁膜に相当し、絶縁膜１４は第４絶縁膜に相当し、絶縁膜１５は第５絶縁膜に相当し、共通電極ＣＥ１１は第１共通電極に相当し、金属配線Ｍ１１は第１金属配線に相当する。
【００５４】
図１３は、図１１に示したスペーサＳＰを含むＥ−Ｆ線に沿った表示パネルＰＮＬの断面図である。スペーサＳＰの直下では、走査線Ｇ４及び信号線Ｓ４が交差している。金属配線Ｍ１１は、信号線Ｓ４とスペーサＳＰとの間に位置している。図示した例では、金属配線Ｍ１１とスペーサＳＰとの間には、共通電極ＣＥ１１が位置しているが、共通電極ＣＥ１１の開口部が位置していてもよい。金属配線Ｍ１１とスペーサＳＰとの間に位置する絶縁膜１４及び１５が有機絶縁膜である場合、スペーサＳＰに荷重がかかった場合であっても、金属配線Ｍ１１へのダメージを軽減することができる。
【００５５】
以上説明したように、本実施形態によれば、表示品位の劣化を抑制する表示装置を提供することができる。
【００５６】
なお、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００５７】
本実施形態の表示パネルＰＮＬは、第１基板ＳＵＢ１の背面側からの光を選択的に透過させることで画像を表示する透過表示機能を備えた透過型に限らず、第２基板ＳＵＢ２の前面側からの光を選択的に反射させることで画像を表示する反射表示機能を備えた反射型、あるいは、透過表示機能及び反射表示機能を備えた半透過型のいずれであってもよい。
また、本実施形態では、基板主面に沿った横電界を利用する表示モードに対応した表示パネルＰＮＬについて説明したが、これに限らず、基板主面の法線に沿った縦電界を利用する表示モード、基板主面に対して斜め方向に傾斜した傾斜電界を利用する表示モード、さらには、上記の横電界、縦電界、及び、傾斜電界を適宜組み合わせて利用する表示モードに対応したいずれの表示パネルであってもよい。ここでの基板主面とは、Ｘ−Ｙ平面と平行な面である。
【符号の説明】
【００５８】
ＤＳＰ…表示装置  ＰＮＬ…表示パネル  ＤＡ…表示部
Ｇ…走査線  Ｓ…信号線  ＰＥ…画素電極  
ＣＥ…共通電極  Ｍ…金属配線  ＭＸ、ＭＹ…配線部
ＳＰ…スペーサ
【図１】
2019211726.tif 000003
【図２Ａ】
2019211726.tif 000004
【図２Ｂ】
2019211726.tif 000005
【図２Ｃ】
2019211726.tif 000006
【図３】
2019211726.tif 000007
【図４】
2019211726.tif 000008
【図５】
2019211726.tif 000009
【図６】
2019211726.tif 000010
【図７】
2019211726.tif 000011
【図８Ａ】
2019211726.tif 000012
【図８Ｂ】
2019211726.tif 000013
【図８Ｃ】
2019211726.tif 000014
【図９】
2019211726.tif 000015
【図１０Ａ】
2019211726.tif 000016
【図１０Ｂ】
2019211726.tif 000017
【図１０Ｃ】
2019211726.tif 000018
【図１１】
2019211726.tif 000019
【図１２】
2019211726.tif 000020
【図１３】
2019211726.tif 000021